(57)【要約】【課題】車輌上に設けられ、異常接近する物体がある時のみその撮影装置を機能させ、該異常接近する物体を中心とする画像を撮影して記録乃至表示をする車用画像記録装置及びその記録方法を提供する。【解決手段】車輌上に設けられ、異常接近する物体がある時、該異常接近する物体を中心とする画像を連続的に撮影しながら記録する車用画像記録装置であって、車輌の周りの動向を偵察する偵察器と、所定の画像を撮影する撮影装置と、前記撮影した画像を記録する記録装置と、前記偵察器、前記撮影装置及び前記記録装置と電気的に接続され、前記偵察器により偵察したものに所定範囲内に入って異常接近する物体があるか否かを判断し、異常接近する物体があると判断した場合、該異常接近する物体を中心とする画像を撮影しながら記録するように前記撮影装置及び前記記録装置を作動させる制御器とからなることを特徴とする車用画像記録装置。【選択図】図４
2004235718.tif 000002
【特許請求の範囲】
【請求項１】
車輌上に設けられ、異常接近する物体がある時、該異常接近する物体を中心とする画像を連続的に撮影しながら記録する車用画像記録装置であって、
車輌の周りの動向を偵察する偵察器と、
所定の画像を撮影する撮影装置と、
前記撮影した画像を記録する記録装置と、
前記偵察器、前記撮影装置及び前記記録装置と電気的に接続され、前記偵察器により偵察したものに所定範囲内に入って異常接近する物体があるか否かを判断し、異常接近する物体があると判断した場合、該異常接近する物体を中心とする画像を撮影しながら記録するように前記撮影装置及び前記記録装置を作動させる制御器とからなることを特徴とする車用画像記録装置。
【請求項２】
前記撮影した画像を表示する表示器を更に備えていることを特徴とする請求項１に記載の車用画像記録装置。
【請求項３】
前記制御器は、前記偵察器及び前記撮影装置からのアナログ信号をデジタル信号に変換させるＡ／Ｄ変換回路と、前記Ａ／Ｄ変換回路からのデジタル信号を受信して判断処理する中央処理ユニットとを有することを特徴とする請求項１または２に記載の車用画像記録装置。
【請求項４】
前記制御器は、発振信号を前記中央処理ユニットに出力する発振回路と、前記各部品の電力を供給する電力供給回路とを更に有することを特徴とする請求項３に記載の車用画像記録装置。
【請求項５】
前記記録装置として、ハードディスクを使用したことを特徴とする請求項１に記載の車用画像記録装置。
【請求項６】
偵察器により車輌の周りの動向を偵察するステップと、
制御器により前記偵察器からの偵察信号を受信すると共に所定範囲内に入って異常接近する物体があるか否かを判断し、異常接近する物体がある時に撮影装置及び記録装置を作動させ、前記異常接近する物体を中心とする画像を撮影・記録するステップと、
前記異常接近する物体が所定範囲から遠ざかった時に前記制御器により前記撮影・記録を止めるステップとからなることを特徴とする車用画像記録方法。
【発明の詳細な説明】
【０００１】
【発明の属する技術分野】
本発明は、車用画像記録装置及びその記録方法に関し、特に車輌上に設けられ、異常接近する物体がある時、該異常接近する物体を中心とする画像を連続的に撮影しながら記録する車用画像記録装置及びその記録方法に関する。
【０００２】
【従来の技術】
車は、現代人にとって不可欠のものとなっている。車輌の普及に伴って各種の問題が生じている。例えば、交通事故があった時、事故の現場及び両方の当事者の陳述のみにより真実の状況を判断するので、誤判の発生が頻繁である。また、車のバック時に運転者の視野が制限されるので、バック途中に他の車かなにかと衝突する事件がよく発生する。その外、停車中の車が盗まれたり破壊されたりするなどのことも多々ある。それらを幾分避けるために、車輌上に、異常接近する物体がある時または触られる時にピッと間欠音または他の連続音を出すブザーを設けることができるが、事件進行当時に警告を発す作用のみがあり、泥棒や破壊者，事件進行中の実況に対し、なんら証拠を残す機能がまったくないので、実質的に役に立たない。一方、停車場ないし車輌上に撮影・記録装置を設けて車両付近の動向を連続的に撮影しながら記録することが考えられるが、テープやメモリーのスペースを大量に使用しなければ、肝心かなめな画像が後の画像に覆われてなくなってしまう欠点も考えられる。
【０００３】
上記に鑑みて、発明者は、鋭意研究を進めたところ、車輌上に、異常接近する物体がある時のみその撮影装置を機能させ、該異常接近する物体を中心とする画像を撮影して記録乃至表示をすることができる画像記録装置を設ければ、上記各問題を一気に解決することができることを結論した。
【０００４】
【発明が解決しようとする課題】
このため、本発明の第１の目的は、車輌上に設けられ、異常接近する物体がある時、該異常接近する物体を中心とする画像を連続的に撮影しながら記録することができる車用画像記録装置及びその記録方法を提供しようとすることにある。
本発明の第２の目的は、前記撮影した画像を運転者に表示することができる車用画像記録装置及びその記録方法を提供しようとすることにある。
【０００５】
【課題を解決するための手段】
上記目的を達成するために、発明者は、まず、車輌上に設けられ、異常接近する物体がある時、該異常接近する物体を中心とする画像を連続的に撮影しながら記録する車用画像記録装置であって、車輌の周りの動向を偵察する偵察器と、所定の画像を撮影する撮影装置と、前記撮影した画像を記録する記録装置と、前記偵察器、前記撮影装置及び前記記録装置と電気的に接続され、前記偵察器により偵察したものに所定範囲内に入って異常接近する物体があるか否かを判断し、異常接近する物体があると判断した場合、該異常接近する物体を中心とする画像を撮影しながら記録するように前記撮影装置及び前記記録装置を作動させる制御器とからなることを特徴とする車用画像記録装置を提供する。
【０００６】
この構成による車用画像記録装置は、車輌上に設けられた場合、車輌が運転中または非運転中でも、異常接近する物体がある時、該異常接近する物体を中心とする画像を自動的に撮影しながら記録するため、交通事故の後で事故直前及び事故中の真実な状況を画像で確認することができるので、誤判の発生を大幅に減らすことができる。その外、盗犯／破壊事件において、泥棒または破壊者の顔ないし事件進行中の実況を確実に記録することができるので、車が盗まれたり破壊されたりした後、警察官に有力な証拠を提供することができる。ここで、物体とは、人間、動物または車などの動けるものを指すが、下記のように、場合によっては、建築物などの動けないものを指しても良い。
【０００７】
即ち、前記車用画像記録装置が、前記撮影した画像を表示する表示器を更に備えている場合、運転者は、運転中に異常接近する車や人があるか否かを観察することができるのみならず、バック中に他の車や人または壁などの建築物との不意な衝突を避けることもできる。
【０００８】
そして、前記制御器は、前記偵察器及び前記撮影装置からのアナログ信号をデジタル信号に変換させるＡ／Ｄ変換回路と、前記Ａ／Ｄ変換回路からのデジタル信号を受信して判断処理する中央処理ユニットと、発振信号を前記中央処理ユニットに出力する発振回路と、前記各部品の電力を供給する電力供給回路とを有することが好ましい。前記記録装置として、ハードディスク、特に携帯型のハードディスクを使用することが好ましい。
【０００９】
なお、前記車用画像記録装置に基づいて、発明者は、車用画像記録方法を更に提供する。該車用画像記録方法は、偵察器により車輌の周りの動向を偵察するステップと、制御器により前記偵察器からの偵察信号を受信すると共に所定範囲内に入って異常接近する物体があるか否かを判断し、異常接近する物体がある時に撮影装置及び記録装置を作動させ、前記異常接近する物体を中心とする画像を撮影・記録するステップと、前記異常接近する物体が所定範囲から遠ざかった時に前記制御器により前記撮影・記録を止めるステップとからなる。
【００１０】
それにより、交通事故の後で事故直前及び事故中の真実な状況を画像で確認することができるのみならず、車が盗まれたり破壊されたりした後、事件進行中の実況を記録した有力な証拠を警察官に提供することができる。
【００１１】
【発明の実施の形態】
以下、本発明の車用画像記録装置及びその記録方法の好ましい実施形態を図示に参照しながら詳しく説明する。
【００１２】
本発明の車用画像記録装置１は、車輌上に設けられ、異常接近する物体がある時、該異常接近する物体を中心とする画像を連続的に撮影しながら記録するものである。該車用画像記録装置１は、図１に示すように、主として、車輌の周りの動向を偵察する複数の偵察器１１と、所定の画像を撮影する複数の撮影装置１２と、前記撮影した画像を記録する記録装置１３と、前記複数の偵察器１１、前記複数の撮影装置１２及び前記記録装置１３と電気的に接続され、前記複数の偵察器１１により偵察したものに所定範囲内に入って異常接近する物体があるか否かを判断し、異常接近する物体があると判断した場合、該異常接近する物体を中心とする画像を撮影しながら記録するように前記複数の撮影装置１２及び前記記録装置１３を作動させる制御器１４と、前記撮影した画像を表示する表示器１５とからなる。
【００１３】
さらに詳しく説明すると、前記制御器１４は、前記複数の偵察器１１及び前記複数の撮影装置１２からのアナログ信号をデジタル信号に変換させるＡ／Ｄ変換回路１４１と、前記Ａ／Ｄ変換回路１４１からのデジタル信号を受信して判断処理する中央処理ユニット１４２と、発振信号を前記中央処理ユニット１４２に出力する発振回路１４３と、前記各部品の電力を供給する電力供給回路１４４とからなる。前記記録装置１３として、ハードディスク、特に携帯型のハードディスクを使用した方が好ましい。
【００１４】
前記車用画像記録装置１を自動車２に取り付けて使用する場合を例として説明すると、前記複数の偵察器１１及び前記複数の撮影装置１２は、図２に示すように、対になってそれぞれ自動車２の左右前後の４つの側部２１〜２４に設けられ、前記表示器１５は、車内の運転席の近くに設けられることができる。それにより、運転者は、運転中に前記表示器１５を介し、自動車の周りに異常接近する車や人があるか否かを観察することができる上、自動車をバックしている時、自動車の周り、特に自動車の後ろにある物事の動向を観察しながら行うことができるので、他の車や人または壁などの建築物との不意な衝突を避けることもできる。その外、前記偵察器１１により異常接近する物体があることを偵察した後、前記制御器１４は前記複数の撮影装置１２及び前記記録装置１３を作動させて該異常接近する物体を中心とする画像を撮影しながら記録するため、交通事故の後で事故直前及び事故中の真実な状況を前記記録した画像で確認することができるので、誤判の発生を大幅に減らすことができる。また、盗犯／破壊事件において、泥棒または破壊者の顔ないし事件進行中の実況を確実に記録することができるので、車が盗まれたり破壊されたりした後、警察官に有力な証拠を提供することができる。
【００１５】
本実施形態において、前記偵察器１１と前記撮影装置１２とは、複数個を使用するが、それに限らず、場合によって、１組の多角度に回転できる前記偵察器１１及び前記撮影装置１２を使用してもよい。その時、図３に示すようなタクシー３を例として説明すると、例えばタクシーのルーフ上の掲示板３１に取付けられることができる。
【００１６】
図４は、本発明の車用画像記録方法の好ましい実施形態を示すフローチャートである。以下、前記フローチャートを参照しながら本発明の車用画像記録方法の具体的な動作を説明する。前記車用画像記録装置１は起動された後、まず、前記複数の偵察器１１により車輌の周りの動向を偵察しながら偵察信号を前記Ａ／Ｄ変換回路１４１によってデジタル信号に変換させてから、前記中央処理ユニット１４２へ出力し、前記中央処理ユニット１４２によって車両周りの所定範囲内に入って異常接近する物体があるか否かを判断し（ステップ４１）、もし異常接近する物体がなければ、前記複数の偵察器１１の偵察を維持し（ステップ４２）、もし異常接近する物体があれば、前記中央処理ユニット１４２の処理によって制御信号を発信して前記撮影装置１２を作動させ、前記異常接近する物体を中心とする画像を撮影する（ステップ４３）。この時、前記撮影装置１２からの画像信号はアナログ信号であるので、先に前記Ａ／Ｄ変換回路１４１によってデジタル信号に変換させてから前記中央処理ユニット１４２へ出力し、そして、該デジタル化した画像信号を前記記録装置１３及び前記表示器１５に入力し、前記撮影した画像を記録すると共に運転者に表示する（ステップ４４）。そして、前記偵察器１１により偵察し続け、前記中央処理ユニット１４２に該異常接近する物体が所定範囲から遠ざかったか否かを判断し（ステップ４５）、もしまだ前記所定範囲内にあって遠ざからなければ、画像を撮影・記録乃至表示し続け（ステップ４６）、もしすでに所定範囲から遠ざかれば、前記制御器１４により前記撮影装置１２、前記記録装置１３及び前記表示器１５を止める（ステップ４７）。
【００１７】
また、本実施形態において、前記撮影装置１２、前記記録装置１３及び前記表示器１５は異常接近する物体がある時に作動され、且つ、前記物体が遠ざかった時に止められるが、それに限らず、必要に応じて他の作動方式に変え、例えばその所定範囲を無限に拡大し、撮影を常時に保持してもよい。
【００１８】
【発明の効果】
上記のように、本発明の車用画像記録装置は、事故後に事故中の真実な状況を確認し、バック中に他の車や人または壁などの建築物との不意な衝突を避けることができ、且つ車が盗まれたり破壊されたりした後、事件進行中の実況を記録した証拠を警察官に提供することができるので、従来の各問題を確実に解決することができる。
【００１９】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【図１】本発明の車用画像記録装置の好ましい実施形態のブロック図。
【図２】前記実施形態を自動車上に取付けた場合の説明図。
【図３】前記実施形態をタクシー上に取付けた場合の説明図。
【図４】本発明の車用画像記録方法の好ましい実施形態のフローチャート。
【符号の説明】
１．．．車用画像記録装置
１１．．．偵察器
１２．．．撮影装置
１３．．．記録装置
１４．．．制御器
１４１．．．Ａ／Ｄ変換回路
１４２．．．中央処理ユニット
１４３．．．発振回路
１４４．．．電力供給回路
１５．．．表示器
２．．．自動車
２１．．．左側
２２．．．右側
２３．．．前側
２４．．．後側
３．．．タクシー
３１．．．掲示板
【図１】
2004235718.tif 000003
【図２】
2004235718.tif 000004
【図３】
2004235718.tif 000005
【図４】
2004235718.tif 000006